(57)【要約】      （修正有）【課題】装置の固有機能をユーザが意識すること無く、組合せ機能を利用することができ、また、装置のアップデートにより更新された固有機能を利用するための必要な手間を省くことが可能な装置管理システム、画像処理装置及び装置管理方法を提供する。【解決手段】画像処理装置の固有機能に関する情報を取得する装置情報取得部と、複数の固有機能から成る組合せ機能の分析を行う制御部と、組合せ機能の選択を受付けるＷｅｂページを生成するＷｅｂページ生成部とを備えたアプリケーションサーバと、固有機能を実行する機能実行部と、装置情報を提供する装置情報提供部と、Ｗｅｂページをユーザに対して表示し機能実行要求を受付けるＷｅｂブラウザ部とを備えた画像処理装置とを有する。制御部は、受付けた組合せ機能の実行要求に応じ、組合せ機能を構成する固有機能を有する画像処理装置に対して実行指示を出力する【選択図】図２
2018055413.tif 000002
【特許請求の範囲】
【請求項１】
情報処理装置と複数台数の画像処理装置とが電気信号線を介して接続されることにより構成された装置管理システムであって、
前記情報処理装置は、
前記画像処理装置との接続状態に関する情報を取得する接続状態情報取得部と、
前記画像処理装置が固有の機能として有する固有機能に関する情報を装置情報として取得する装置情報取得部と、
取得した前記装置情報に基づき複数の前記固有機能を組合せることで提供可能な組合せ機能の分析を行う制御部と、
前記制御部による分析結果に基づき前記組合せ機能の選択を受付ける選択項目を有するＷｅｂページを生成するＷｅｂページ生成部とを備え、
前記画像処理装置は、
前記固有機能を実行する機能実行部と、
前記装置情報取得部からの取得要求に応じ前記装置情報を提供する装置情報提供部と、
前記Ｗｅｂページをユーザに対して表示すると共に当該ユーザからの機能実行要求を受付けるＷｅｂブラウザ部とを備え、
前記制御部は、
前記Ｗｅｂブラウザ部を介して受付けた前記組合せ機能に係る機能実行要求に応じ、当該組合せ機能を構成する前記固有機能を有する前記画像処理装置に対して機能実行指示を出力すること
を特徴とする装置管理システム。
【請求項２】
前記装置情報取得部は、
前記接続状態情報取得部が取得した接続状態情報から前記装置情報の更新が必要である場合に前記装置情報を取得すること
を特徴とする請求項１に記載の装置管理システム。
【請求項３】
前記接続状態情報には、
前記画像処理装置における前記固有機能の追加・更新に関する情報が含まれること
を特徴とする請求項２に記載の装置管理システム。
【請求項４】
前記制御部は、
前記機能実行指示を出力した前記画像処理装置における機能実行状態を監視し、実行結果をユーザが操作する前記画像処理装置に対して通知すること
を特徴とする請求項１乃至請求項３の何れか１項に記載の装置管理システム。
【請求項５】
外部からの取得要求に応じ、自己が固有の機能として有する固有機能に関する情報を装置情報として提供する装置情報提供部と、
提供した前記装置情報に基づき生成された、複数の前記固有機能を組合せることで提供可能な組合せ機能の選択項目を有するＷｅｂページをユーザに対して表示すると共に当該ユーザからの機能実行要求を受付けるＷｅｂブラウザ部と、
前記Ｗｅｂブラウザ部を介して受付けた前記組合せ機能に係る機能実行要求に応じて出力された機能実行指示に基づき、当該組合せ機能を構成する前記固有機能を実行する機能実行部とを備えること
を特徴とする画像処理装置。
【請求項６】
情報処理装置と複数台数の画像処理装置とが電気信号線を介して接続されることにより構成されたシステムの装置管理方法であって、
前記情報処理装置においては、
前記画像処理装置との接続状態に関する情報を取得する接続状態情報取得ステップと、
前記画像処理装置が固有の機能として有する固有機能に関する情報を装置情報として取得する装置情報取得ステップと、
取得した前記装置情報に基づき複数の前記固有機能を組合せることで提供可能な組合せ機能の分析を行う制御ステップと、
前記制御ステップにおける分析結果に基づき前記組合せ機能の選択を受付ける選択項目を有するＷｅｂページを生成するＷｅｂページ生成ステップとを備え、
前記画像処理装置においては、
前記固有機能を実行する機能実行ステップと、
前記装置情報取得ステップにおける取得要求に応じ前記装置情報を提供する装置情報提供ステップと、
前記Ｗｅｂページをユーザに対して表示すると共に当該ユーザからの機能実行要求を受付けるＷｅｂページ表示・受付けステップとを備え、
前記制御ステップでは、
前記Ｗｅｂページ表示・受付けステップにおいて受付けた前記組合せ機能に係る機能実行要求に応じ、当該組合せ機能を構成する前記固有機能を有する前記画像処理装置に対して機能実行指示を出力すること
を特徴とする装置管理方法。
【発明の詳細な説明】
【技術分野】
【０００１】
本発明は、装置管理システム、画像処理装置、及び装置管理方法に関するものである。
【背景技術】
【０００２】
従来から、異なる機能を有するプリンタや複合装置が複数台数ネットワークを介して接続され、これらが利用可能である場合、同ネットワーク上に接続されているパーソナルコンピュータ等の情報処理装置にインストールされた共通のプリンタドライバプログラム、アプリケーションプログラム等を使用することで、複数の装置を組み合わせて装置単体が有さない機能（以下、組合せ機能と称する）を実現する方法が知られている。
【先行技術文献】
【特許文献】
【０００３】
【特許文献１】特開２０１０−１７０５５８号公報
【発明の概要】
【発明が解決しようとする課題】
【０００４】
しかしながら、従来技術では、装置単体で実現可能な機能（以下、固有機能と称する）を利用する場合であっても、情報処理装置を経由しなければならず、また、装置利用に必要なドライバプログラムやアプリケーションプログラムを各々利用可能な状態に設定する必要があった。更に、各装置のアップデートにより固有機能に更新が生じたときには、それに伴いドライバプログラム、アプリケーションプログラムのバージョンもユーザが手動により更新する必要があった。
【０００５】
本発明はこのような実状に鑑みてなされたものであり、本発明の課題は装置の固有機能をユーザが意識すること無く、組合せ機能を利用することができ、また、装置のアップデートにより更新された固有機能を利用するための必要な手間を省くことが可能な装置管理システム、画像処理装置、及び装置管理方法を提供することである。
【課題を解決するための手段】
【０００６】
上記課題を解決するために、本発明に係る装置管理システムは、情報処理装置と複数台数の画像処理装置とが電気信号線を介して接続されることにより構成された装置管理システムであって、前記情報処理装置は、前記画像処理装置との接続状態に関する情報を取得する接続状態情報取得部と、前記画像処理装置が固有の機能として有する固有機能に関する情報を装置情報として取得する装置情報取得部と、取得した前記装置情報に基づき複数の前記固有機能を組合せることで提供可能な組合せ機能の分析を行う制御部と、前記制御部による分析結果に基づき前記組合せ機能の選択を受付ける選択項目を有するＷｅｂページを生成するＷｅｂページ生成部とを備え、前記画像処理装置は、前記固有機能を実行する機能実行部と、前記装置情報取得部からの取得要求に応じ前記装置情報を提供する装置情報提供部と、前記Ｗｅｂページをユーザに対して表示すると共に当該ユーザからの機能実行要求を受付けるＷｅｂブラウザ部とを備え、前記制御部は、前記Ｗｅｂブラウザ部を介して受付けた前記組合せ機能に係る機能実行要求に応じ、当該組合せ機能を構成する前記固有機能を有する前記画像処理装置に対して機能実行指示を出力することを特徴としている。
【０００７】
また、本発明に係る画像処理装置は、外部からの取得要求に応じ、自己が固有の機能として有する固有機能に関する情報を装置情報として提供する装置情報提供部と、提供した前記装置情報に基づき生成された、複数の前記固有機能を組合せることで提供可能な組合せ機能の選択項目を有するＷｅｂページをユーザに対して表示すると共に当該ユーザからの機能実行要求を受付けるＷｅｂブラウザ部と、前記Ｗｅｂブラウザ部を介して受付けた前記組合せ機能に係る機能実行要求に応じて出力された機能実行指示に基づき、当該組合せ機能を構成する前記固有機能を実行する機能実行部とを備えることを特徴としている。
【０００８】
さらにまた、本発明に係る装置管理方法は、情報処理装置と複数台数の画像処理装置とが電気信号線を介して接続されることにより構成されたシステムの装置管理方法であって、前記情報処理装置においては、前記画像処理装置との接続状態に関する情報を取得する接続状態情報取得ステップと、前記画像処理装置が固有の機能として有する固有機能に関する情報を装置情報として取得する装置情報取得ステップと、取得した前記装置情報に基づき複数の前記固有機能を組合せることで提供可能な組合せ機能の分析を行う制御ステップと、前記制御ステップにおける分析結果に基づき前記組合せ機能の選択を受付ける選択項目を有するＷｅｂページを生成するＷｅｂページ生成ステップとを備え、前記画像処理装置においては、前記固有機能を実行する機能実行ステップと、前記装置情報取得ステップにおける取得要求に応じ前記装置情報を提供する装置情報提供ステップと、前記Ｗｅｂページをユーザに対して表示すると共に当該ユーザからの機能実行要求を受付けるＷｅｂページ表示・受付けステップとを備え、前記制御ステップでは、前記Ｗｅｂページ表示・受付けステップにおいて受付けた前記組合せ機能に係る機能実行要求に応じ、当該組合せ機能を構成する前記固有機能を有する前記画像処理装置に対して機能実行指示を出力することを特徴としている。
【発明の効果】
【０００９】
本発明によれば、装置の固有機能をユーザが意識すること無く組合せ機能を利用することができ、また、装置のアップデートにより更新された固有機能を利用するための必要な手間を省くことが可能な画像処理装置及び装置管理システムを提供することができる。
【図面の簡単な説明】
【００１０】
【図１】本発明の実施形態に係る装置管理システムの構成を説明するハードウェア構成図である。
【図２】本実施形態に係る装置管理システムの機能構成を説明するブロック図である。
【図３】ユーザに対して組合せ機能を提供するための制御フローを説明するフローチャートである。
【図４】Ｗｅｂページ表示部に表示させるＷｅｂページの構成例を説明する模式図である。
【図５】アプリケーションサーバが同じネットワーク上に存在する別の装置を利用して組合せ機能を実行させるための制御フローを説明するフローチャートである。
【発明を実施するための形態】
【００１１】
本発明は、ネットワーク上に存在する情報処理装置としてのアプリケーションサーバにインストールされたアプリケーションプログラムが同じネットワーク上に存在する各画像処理装置の機能情報を取得し、各装置の画面管理を行うことで、ネットワーク全体で利用可能な装置の固有機能を平準的に取り扱うことを可能とする技術である。以下、本発明の実施形態について図面を参照して説明する。なお、本発明は以下の記述に限定されるものではなく、本発明の要旨を逸脱しない範囲において適宜変更可能である。
【００１２】
図１は、本発明の実施形態に係る装置管理システム５００の構成を説明するハードウェア構成図である。装置管理システム５００は、アプリケーションサーバ１００と複数台数の画像処理装置２００，２２０，２４０とがＬＡＮ（Local Area Network）ケーブル３００を介し、双方向の通信が可能となるように構成されている。以降、ＬＡＮケーブル３００を介して各装置の接続形態をネットワークと称する。
【００１３】
アプリケーションサーバ１００は、ＨＴＴＰ（Hyper Text Transfer Protocol）等の通信プロトコルを利用し、ＨＴＭＬ（Hyper Text markup Language）で記述されたコンテンツや画像等のオブジェクトをクライアント側のＷｅｂブラウザの要求に応じて提供するＷｅｂサーバ（アプリケーション）機能を備える。
【００１４】
画像処理装置２００，２２０，２４０は、アプリケーションサーバ１００から取得したコンテンツやオブジェクトを後述するＷｅｂページ表示部２０８を介して表示させるＷｅｂブラウザとしての機能を備える。また、画像処理装置２００，２２０，２４０は、画像形成の機能のみならず、例えば、スキャン機能といった機能を各々、固有機能として有している。
【００１５】
図２は、本実施形態に係る装置管理システム５００の機能構成を説明するブロック図である。図１で示したように、本発明の本来の運用では画像処理装置はネットワーク上に複数台数存在しているが、説明の便宜上ここでは、アプリケーションサーバ１００に対して１台の画像処理装置２００がＬＡＮケーブル３００を介して接続された形態として説明する。
【００１６】
アプリケーションサーバ１００は、制御部１０１と、アプリケーション部１０４とを備える。
【００１７】
制御部１０１は、ＣＰＵ（Central Processing Unit）等の演算装置を備え、アプリケーションサーバ１００における動作を統括的に制御する。このような制御部１０１は、通信制御部１０２とサーバ制御部１０３とを備える。通信制御部１０２は、ＬＡＮケーブル３００を介して画像処理装置２００と接続し、当該画像処理装置２００とのデータ通信を制御する。サーバ制御部１０３は、アプリケーションサーバ１００がＷｅｂサーバ機能を実現するための各種機能を制御する。
【００１８】
アプリケーション部１０４は、例えば、ＨＤＤ（Hard Disk Drive）、ＲＡＭ（Random Access memory）、ＲＯＭ（Read Only Memory）等の図示せぬ記憶装置に格納されたアプリケーションプログラムが制御部１０１により実行されることでその機能を実現する。実現される機能としては、データ送受信機能１０５、データ解析機能１０６、装置情報取得機能１０７、及びＷｅｂページ生成機能１０８が含まれる。
【００１９】
データ送受信機能１０５は、画像処理装置２００に対してアプリケーションに関連するデータの送受信を行う機能である。
【００２０】
データ解析機能１０６は、画像処理装置２００から送信されたデータを解析する機能であり、Ｗｅｂブラウザを介して送受信されるデータから画像処理装置２００が奏する機能を実行するために必要な情報の分析を行う。
【００２１】
装置情報取得機能１０７は、画像処理装置２００が有する装置情報を取得するための機能であり、当該装置情報を基として当該画像処理装置２００が有する固有機能に関する情報を取得・保持する。
【００２２】
Ｗｅｂページ生成機能１０８は、画像処理装置２００のＷｅｂページ表示部２０８が表示するＷｅｂブラウザ画面を生成するための機能であり、装置情報取得機能１０７を利用して取得した各画像処理装置が持つ固有機能を統合し、ネットワーク上の全ての装置の何れかで利用可能な組合せ機能を利用するためのＷｅｂページを生成する。
【００２３】
画像処理装置２００は、装置制御部２０１と、装置データ処理部２０４と、要求機能実現部２０７と、Ｗｅｂページ表示部２０８とを備える。
【００２４】
装置制御部２０１は、ＣＰＵ等の演算装置を備え、画像処理装置２００における動作を統括的に制御する。このような装置制御部２０１は、装置情報提供部２０２と、装置通信制御部２０３とを備える。装置情報提供部２０２は、装置が有する基本情報及び装置自身で実行可能な固有機能に関する情報を含む装置情報を提供する。装置情報提供部２０２はアプリケーションサーバ１００からの装置機能取得要求に応じて装置情報をアプリケーションサーバ１００に提供する。装置通信制御部２０３は、ＬＡＮケーブル３００を介してアプリケーションサーバ１００と接続し、当該アプリケーションサーバ１００とのデータ通信を制御する。
【００２５】
装置データ処理部２０４は、ＨＤＤ、ＲＡＭ、ＲＯＭ等の図示せぬ記憶装置に格納されたアプリケーションプログラムが装置制御部２０１により実行されることでその機能を実現する。実現される機能としては、装置データ解析機能２０５及び装置データ生成機能２０６が含まれる。
【００２６】
装置データ解析機能２０５は、アプリケーションサーバ１００から受信したデータを解析し、要求された固有機能又は組合せ機能を実行するために必要な情報を収集する機能である。
【００２７】
装置データ生成機能２０６は、アプリケーションサーバ１００から要求された固有機能又は組合せ機能を実現するために必要なデータを生成する機能である。
【００２８】
要求機能実行部２０７は、アプリケーションサーバ１００から要求された固有機能又は組合せ機能を実行するための手段を有しており、装置データ処理部２０４で解析・生成されたデータを基に画像処理装置２００が有する、プリント，コピー，ＦＡＸ，スキャンといった固有機能を実行する。
【００２９】
Ｗｅｂページ表示部２０８は、例えば、ＬＣＤ（Liquid Crystal Display）等の表示装置を有し、アプリケーションサーバ１００から装置通信制御部２０３を介して受信したＷｅｂページを取得・表示する。
【００３０】
次に、本実施形態に係る動作について説明する。図３は、アプリケーションサーバ１００がネットワーク上に存在している各装置が備える固有機能を統合し、Ｗｅｂブラウザを介してユーザに組合せ機能を提供するための制御フローを説明するフローチャートである。
【００３１】
まず、ステップＳ１００において、アプリケーションサーバ１００の制御部１０１は、ネットワーク上に存在する各装置の接続状態に関する装置接続情報を取得する。本処理は、アプリケーションサーバ１００の管理者によって手動で行われるだけでなく、時刻設定による定期的な実行、あるいはネットワーク上への装置接続時に自動的に行われる場合も想定される。
【００３２】
次に、制御部１０１は、ステップＳ１００において取得した装置接続情報を分析し、固有機能がアップデートされた装置あるいはネットワーク上に初めて接続された装置が存在するか否かを判断する。固有機能がアップデートされ装置情報の更新が必要な場合（ステップＳ１００  Ｙｅｓ）、アプリケーションサーバ１００は処理をステップＳ１０２に移行する。一方、装置情報の更新が必要でない場合（ステップＳ１００  Ｎｏ）、アプリケーションサーバ１００は処理をステップＳ１０６に移行する。
【００３３】
ステップＳ１０２において、制御部１０１は装置情報取得機能１０７を利用することで、各装置からの装置情報を取得する。各装置は装置情報取得機能１０７からの取得要求に応じて、装置情報提供部２０２から自身の利用可能な固有機能に関する情報を含む装置情報を提供する。
【００３４】
制御部１０１はデータ送受信機能１０５を介して取得した装置情報から、データ解析機能１０６を用い各装置の固有機能を統合し、ネットワーク上のいずれかの装置（固有機能）を組み合わせることで提供可能な組合せ機能の分析を行う（ステップ１０３）。なお、提供可能な組合せ機能については、単に利用可能な全ての組合せ機能を分析結果として出力するということだけではなく、予め装置の優先順位や各種制限（物理的接続距離等）を予め設定することによって分析結果の出力形態を制御することも想定される。
【００３５】
そして、制御部１０１は、ステップＳ１０３で得られた分析結果に基づき、本分析結果前と比較してネットワーク全体で提供可能な組合せ機能が増加したか否かを判断する。ここで、提供可能な組合せ機能が増加した場合（ステップＳ１０４  Ｙｅｓ）、アプリケーションサーバ１００は処理をステップＳ１０５に移行する。一方、提供可能な組合せ機能が増加しない場合（ステップＳ１０４  Ｎｏ）、アプリケーションサーバ１００は処理をステップＳ１０６に移行する。
【００３６】
ステップＳ１０５において、アプリケーションサーバ１００は、Ｗｅｂページ生成機能１０８を用いて機能利用のためのＷｅｂページを生成し、生成したＷｅｂページのＵＲＬ（Uniform Resource locator）をデータ送信機能１０５を用いて各装置に提供する（ステップＳ１０６）。各装置は、提供されたＵＲＬを参照し、Ｗｅｂページ表示部２０８に当該ＵＲＬに対応したＷｅｂページを表示させることで、ユーザはネットワーク上で提供される、固有機能及び組合せ機能からなる全ての機能を利用することが可能となる。
【００３７】
図４は、Ｗｅｂページ表示部２０８に表示させるＷｅｂページの構成例を説明する模式図である。図４で例示するＷｅｂページ６０１には、プリント機能６０１ａ，コピー機能６０１ｂ，ＦＡＸ機能６０１ｃの固有機能に加え、ネットワーク上に存在する各装置の機能を組み合わせることにより実現される組合せ機能Ａ６０１ｄ，６０１ｅ，６０１ｆのそれぞれが追加されている。なお、各装置に表示されるＷｅｂページについては、全ての装置で同じＵＲＬを利用することを想定しているが、これに限定されず、利用形態に応じて装置毎に異なるＷｅｂページのＵＲＬを提供するような場合も想定される。例えば、操作している装置単体で実現可能な固有機能や、物理的制限によって利用可能な装置上の固有機能を区別して表示するといった場合がこれに該当する。
【００３８】
図５は、ネットワーク上の何れかの装置から組合せ機能に係る機能実行を依頼された場合に、アプリケーションサーバ１００が同じネットワーク上に存在する別の装置を利用して組合せ機能を実行させるための制御フローを説明するフローチャートである。
【００３９】
まず、ステップＳ２００において、制御部１０１は、ユーザが操作している何れかの装置から機能実行を要求された場合に、データ送受信機能１０５を用い、通信制御部１０２を通じて要求された機能に関する情報を取得する。
【００４０】
次に、制御部１０１は、ステップＳ２００において取得した機能要求に対して、データ解析機能２１３を用い要求実現のための必要な固有機能を分析し、組合せ機能を実現することが可能なネットワーク上の画像処理装置２００（２２０，２４０）の組み合わせを選定する（ステップＳ２０１）。なお、各画像処理装置２００（２２０，２４０）の組み合わせにより実現可能な組合せ機能については、図３のステップ１０２及びステップＳ１０３において予め取得・保持されており、これらの情報を基に要求された組合せ機能を実行可能な装置の選定が行われる。
【００４１】
次に、制御部１０１は、ステップＳ２０１において選定された画像処理装置２００（２２０，２４０）の中で、現在機能実行が可能な装置が存在するか否かを判断する。機能実行が可能な装置が存在する場合（ステップＳ２０２  Ｙｅｓ）、制御部１０１は、処理をステップＳ２０３に移行する。一方、機能実行が可能な装置が存在しない場合（ステップＳ２０２  Ｎｏ）、制御部１０１は処理をステップＳ２０５に移行する。ここで、機能実行が可能でない場合とは、例えば、装置の電源が投入されていない場合や、例えば、印刷機能実行に対してトナー不足といった、装置上で機能実行を阻害するようなエラーが発生しているような場合を装想定している。
【００４２】
ステップＳ２０３において、制御部１０１は、ステップＳ２０２において存在が確認された機能実行が可能な画像処理装置２００（２２０，２４０）に対して、通信制御部１０２を通じ、機能実行を依頼する。機能実行を依頼された画像処理装置２００（２２０，２４０）の制御部２０１は、装置データ解析機能２０５を用いて機能の内容を解析し、機能実行に必要なデータを生成する。そして、制御部２０１は要求機能実行部２０７を用いて依頼された機能を実行する。
【００４３】
次に、アプリケーションサーバ１００の制御部１０１は、ステップ２００で要求された組み合わせ機能を構成する全ての固有機能を実現したか否かを判断する。制御部１０１は、要求された組合せ機能によっては複数の画像処理装置２００（２２０，２４０）に順番に機能実行を依頼する必要があり、それらの全ての機能実行が完了するか又は何れかの装置において機能実行エラーが発生するまではステップＳ２０１からの処理を繰り返す（ステップＳ２０４  Ｎｏ）。一方、全での機能実行が完了するか又は何れかの画像処理装置２００（２２０，２４０）において機能実行エラーが発生した場合（ステップＳ２０４  Ｙｅｓ）、アプリケーションサーバ１００は、処理をステップＳ２０５に移行する。
【００４４】
最後に制御部１０１は、各画像処理装置２００（２２０，２４０）に依頼した機能実行の結果を収集し、機能実行を依頼した装置（ユーザ）に対して実行結果を通知する。制御部１０１は、機能実行の途中で機能実行エラーが発生した場合は、当該機能実行エラーの内容を依頼元の装置に対して通知する。なお、機能実行エラーが発生した場合、依頼元の装置に機能実行エラーを生じた画像処理装置２００（２２０，２４０）の装置管理画面を表示させ、ユーザがこれを遠隔操作により当該機能実行エラーを解消させることも可能である。
【００４５】
以上のように、本実施形態によれば、ネットワーク上に存在する装置を利用して、例えば、Ｓｃａｎ  ｔｏ  ＦＡＸ，  Ｓｃａｎ  ｔｏ  Ｅｍａｉｌといった個々の装置の固有の機能を組み合わせることで実現する組合せ機能に係る機能実行を行う際に、アプリケーションサーバを介して各装置の固有機能を統合し、Ｗｅｂページを操作画面として各装置に提供することで、ネットワーク上のどの装置においても、ユーザが装置の固有機能を意識すること無く、組合せ機能を利用することができるため、装置利用時におけるユーザの利便性を向上させることが可能となる。
【００４６】
また、ネットワーク上に新たな装置が追加されたような場合や、既存の装置に新たな固有機能が追加された場合において、アプリケーションサーバがこれらの情報を自動的に取得・統合することができるため、ユーザの操作を必要とすることなく、新たな固有機能、組合せ機能の利用が可能となる効果も期待することができる。
【符号の説明】
【００４７】
１００  アプリケーションサーバ１００
１０１  制御部
１０２  通信制御部
１０３  サーバ制御部
１０４  アプリケーション部
１０５  データ送受信機能
１０６  データ解析機能
１０７  装置情報取得機能
１０８  Ｗｅｂページ生成機能
２００，２２０，２４０  画像処理装置
２０１  装置制御部
２０２  装置情報提供部
２０３  装置通信制御部
２０４  装置データ処理部
２０５  装置データ解析機能
２０６  装置データ生成機能
２０７  要求機能実行部
２０８  Ｗｅｂページ表示部
【図１】
2018055413.tif 000003
【図２】
2018055413.tif 000004
【図３】
2018055413.tif 000005
【図４】
2018055413.tif 000006
【図５】
2018055413.tif 000007